(57)【要約】【課題】浴槽内壁面に設けた上下一対の温水循環口に連通する循環用配管内の全体を確実且つ容易に清掃できるようにする。【解決手段】循環用配管Ｐの管長よりも長い紐体２と、紐体２の一端部に固定した浮き子３と、紐体２の他端部側に複数にして離隔配置して固定し、且つ循環用配管Ｐの管径よりも若干大きな外形を有する駒状のスポンジ部材によって形成した拭き体４とから拭き具１を形成する。また、拭き体４側を浴槽Ｑ内に残して下側温水循環口Ｐ１に挿入した浮き子３を残り湯の水圧によって強制的に上側温水循環口Ｐ１から浴槽Ｑの残り湯内に押し出すためのポンプ具１１を備える。ポンプ具１１は、自体の内部容積を圧縮乃至膨張するための蛇腹部１２により自体の内部に残り湯を吸引開口部から導入して放出開口部１４より下側温水循環口Ｐ１内に吐出するよう吸引開口部側に逆止弁を備える。【選択図】　　　　　図３
0003097375.tif 000002
【実用新案登録請求の範囲】
【請求項１】
浴槽内壁面に設けられた上下一対の温水循環口に連通する循環用配管内を清掃するものであって、循環用配管の管長よりも長い紐体と、紐体の一端部に固定された浮き子と、紐体の他端部側に固定された拭き体とから拭き具を形成して成ることを特徴とする風呂釜清掃具。
【請求項２】
拭き具には、拭き体側を浴槽内に残して下側温水循環口に挿入された浮き子を残り湯の水圧によって強制的に上側温水循環口から浴槽の残り湯内に押し出させるポンプ具を加えて成る請求項１記載の風呂釜清掃具。
【請求項３】
ポンプ具は、自体の内部容積を圧縮乃至膨張させる蛇腹部と、蛇腹部の圧縮乃至膨張により揺動する逆止弁を介して自体の内部に残り湯を導入させる吸引開口部と、自体の内部から下側温水循環口内に残り湯を吐出させる放出開口部とを備えて成る請求項２記載の風呂釜清掃具。
【請求項４】
拭き体は、紐体に複数にして離隔配置されて固定され、且つ循環用配管の管径よりも若干大きな外形を有する駒状のスポンジ部材によって形成されている請求項１乃至３のいずれか記載の風呂釜清掃具。
【考案の詳細な説明】
【０００１】
【考案の属する技術分野】
本考案は、残り湯を利用して風呂釜の循環用配管内部に付着したゴミ、汚物、髪の毛、湯のろ等を除去するための風呂釜清掃具に関する。
【０００２】
【従来の技術】
従来から、浴槽に対して自然循環型の風呂釜を連結構成し、浴槽水が風呂釜と浴槽との間で自然循環されながら加熱されるようにした自然循環型風呂釜が存在する。このような風呂釜を清掃するための洗浄具として、従来、例えば一端に噴出口を備えた塩化ビニール樹脂製等の蛇腹容器から成り、この蛇腹容器の噴出口を一旦塞いだ状態で粉末洗浄剤を封入した後に、残り湯がある浴槽内の下側の温水循環口に開放した噴出口を接続してから蛇腹部の収縮乃至膨張を繰り返すことにより、浴槽に貯められている残り湯と一緒に洗浄剤を往復循環させて循環用配管内部を洗浄するものがある。また、柄部先端に例えば金属材製もしくは合成樹脂材製等のブラシを束子状に付設して成る掃除具を用い、これのブラシ側を上側および下側の温水循環口から風呂釜内部に挿入して磨き掃除するものもある。
【０００３】
【考案が解決しようとする課題】
しかしながら従来の粉末洗浄剤を使用した蛇腹容器から成る洗浄具では、洗浄剤が循環用配管の内壁に付着残留してしまい、浴槽の次回使用に際し、洗浄剤によって汚れた温水が循環用配管内部から浴槽内に出てくる虞れがある。また、ブラシを使用した掃除具では、浴槽内壁の上下の温水循環口から循環用配管の水平管部内壁を掃除することができるものの、上下の水平管部同士を繋ぐ垂直管部側にはブラシ部分を挿入することができないため、当該垂直管部内壁を掃除することができないばかりでなく管壁を損傷させる虞れがあった。
【０００４】
そこで本考案は叙上のような従来存した諸事情に鑑み創案されたもので、循環型の風呂釜において、浴槽内壁面に設けられた上下の温水循環口に連通する循環用配管内部の全体を確実且つ容易に清掃することができ、しかも簡易な構成で安価である風呂釜清掃具を提供することを目的とする。
【０００５】
【課題を解決するための手段】
上述した課題を解決するため、本考案にあっては、浴槽Ｑ内壁面に設けられた上下一対の温水循環口Ｐ１，Ｐ２に連通する循環用配管Ｐ内を清掃するものであって、循環用配管Ｐの管長よりも長い紐体２と、紐体２の一端部に固定された浮き子３と、紐体２の他端部側に固定された拭き体４とから拭き具１を形成して成るものである。
拭き具１には、拭き体４側を浴槽Ｑ内に残して下側温水循環口Ｐ１に挿入された浮き子３を残り湯の水圧によって強制的に上側温水循環口Ｐ２から浴槽Ｑの残り湯内に押し出させるポンプ具１１を加えて成るものである。
ポンプ具１１は、自体の内部容積を圧縮乃至膨張させる蛇腹部１２と、蛇腹部１２の圧縮乃至膨張により揺動する逆止弁１５を介して自体の内部に残り湯を導入させる吸引開口部１３と、自体の内部から下側温水循環口Ｐ１内に残り湯を吐出させる放出開口部１４とを備えて成るものとできる。
拭き体４は、紐体２に複数にして離隔配置されて固定され、且つ循環用配管Ｐの管径よりも若干大きな外形を有する駒状のスポンジ部材によって形成されているものとできる。
【０００６】
以上のように構成された本考案に係る風呂釜清掃具にあって、拭き具１の浮き子３は、ポンプ具１１によって圧送される残り湯の水圧によって強制的に上側温水循環口Ｐ２から浴槽Ｑの残り湯内に押し出されて水面に浮上させられる。
このときポンプ具１１は、蛇腹部１２を手で押して圧縮させることにより吸引開口部１３に配した逆止弁１５が閉弁してポンプ具１１内の残り湯を放出開口部１４より下側温水循環口Ｐ１内に吐出させる一方、手を離して蛇腹部１２を膨張させ、ポンプ具１１内を負圧状態にすることにより吸引開口部１３に配した逆止弁１５が開弁してポンプ具１１内部に残り湯を導入させる。
拭き体４は、残り湯内に押し出された浮き子３を手指等で強制的に引っ張ることにより下側温水循環口Ｐ１から循環用配管Ｐ内部に導入されて当該管全体の内壁を拭き摺動させる。これによって循環用配管Ｐの内壁に付着しているゴミ、汚物、髪の毛、湯のろ等を剥離除去して上側温水循環口Ｐ２から強制的に浴槽Ｑ内に押し出させる。
【０００７】
【考案の実施の形態】
以下図面を参照して本考案の一実施の形態を説明すると、図において示される符号１は、浴槽Ｑ内壁面に設けられた上下一対の温水循環口Ｐ１，Ｐ２それぞれを連通させる例えばＵ字管状の循環用配管Ｐと、循環用配管Ｐの加熱手段を有する図示を省略した熱交換器、循環ポンプそれぞれとを有する風呂釜において、残り湯の水圧を利用して風呂釜の循環用配管Ｐの内壁全体を清掃するための風呂釜清掃用の拭き具である。
【０００８】
拭き具１は、図１に示すように、浴槽Ｑ内壁面に設けられた上下一対の温水循環口Ｐ１，Ｐ２に連通する循環用配管Ｐの管長よりも長い細紐状を呈する例えば合成樹脂材製等から成る紐体２と、紐体２の一端部に接着剤等によって固定された中空球体状の例えばプラスチック材製等から成る浮き子３と、紐体２の他端部側において離隔配置されて固定された複数の拭き体４とから構成してある。またこの拭き体４は、循環用配管Ｐの管径よりも若干大きな外形を有する駒状の例えば円柱形状を呈する柔軟なウレタンフォーム部材の如きスポンジ部材によって形成された柔軟拭き部４Ａと、その一端側面側の一部分に接着剤等によって固着され、若干硬質な例えば合成樹脂材製繊維材をからませて成る繊維硬化材等によって形成された硬質拭き部４Ｂとによって形成されている。
【０００９】
紐体２に対する拭き体４の具体的な取り付け方法としては、浮き子３が取り付けられている紐体２の一端側とは反対側端部を、例えば約３０ｃｍから４０ｃｍ程度の長さにわたって折り返すかもしくは紐材を二重螺旋状にすると共に、この折り返し部分を例えば３個の拭き体４それぞれにそれぞれに形成された孔部に挿通し、拭き体４それぞれを約１０ｃｍ程度に互いに離隔した状態にして縛着するか接着剤等によって紐体２に固着して形成する。また、拭き体４相互間の紐材を螺旋状に撚ってから接着剤等を塗着し乾燥することによって硬化させてある。
【００１０】
また、拭き具１の拭き体４側を浴槽Ｑ内に残して下側温水循環口Ｐ１に挿入された浮き子３を浴槽Ｑ内に残留されている残り湯の水圧によって強制的に上側温水循環口Ｐ２から浴槽Ｑの残り湯内に押し出させるための蛇腹伸縮式の例えばＰＥＴ製等のポンプ具１１を備えている。ポンプ具１１の具体的な構成としては、図２に示すように、ポンプ具１１自体の内部容積を圧縮乃至膨張させる蛇腹部１２と、蛇腹部１２の圧縮乃至膨張により自体の内部に残り湯を吸引開口部１３から導入させて放出開口部１４より下側温水循環口Ｐ１内に吐出させるよう吸引開口部１３に配した逆止弁１５とを備えて構成されている。
【００１１】
すなわちポンプ具１１は、カップ体の周面全体に蛇腹部１２を形成して成る伸縮部２１と、底部中央にラッパ状の放出開口部１４を形成し且つ周面の一部に形成された例えば矩形状の吸引開口部１３を閉塞したり開放したりできるようこの吸引開口部１３内面側に揺動自在に取り付けられた例えばバタフライ弁等の逆止弁１５を配して成る嵌着部２２とから成る。そして、伸縮部２１の開口側周縁部に雄ネジ溝を形成する一方、嵌着部２２の開口側周縁部には雌ネジ溝を形成し、伸縮部２１と嵌着部２２とを両ネジ溝相互のねじ込み結合によって一体となるように構成してある。また嵌着部２２は下側温水循環口Ｐ１に隙間無く嵌め込められるよう当該下側温水循環口Ｐ１の内径と略同じ大きさの外径を呈するように例えば先細状に形成されている。
【００１２】
次に本実施の形態における使用方法および動作について説明する。図３（ａ）に示すように、浴槽Ｑ内には使用済みの残り湯を満たしたままにしておき、先ず拭き具１の拭き体４側を浴槽Ｑ内に残して下側温水循環口Ｐ１に浮き子３側の紐体２を挿入しておき、ポンプ具１の嵌着部２２を下側温水循環口Ｐ１に連結して放出開口部１４を下側温水循環口Ｐ１内に臨み込ませる。このとき拭き体４側の紐体２部分は下側温水循環口Ｐ１縁部とポンプ具１１の放出開口部１４側縁部との間に挟持させておく。
【００１３】
図３（ｂ）に示すように、ポンプ具１１の蛇腹部１２を手で押して圧縮することにより吸引開口部１３に配した逆止弁１５が閉弁してポンプ具１１内の残り湯を放出開口部１４より下側温水循環口Ｐ１内に吐出する一方、手指等を離して蛇腹部１２を膨張することによりポンプ具１１内を負圧状態にして吸引開口部１３に配した逆止弁１５が開弁してポンプ具１１内部に残り湯を導入させる。このような動作を繰り返し行うことで、浮き子３に対して残り湯の水圧を徐々に加わえ、浮き子３を上側温水循環口Ｐ２から浴槽Ｑの残り湯内に強制的に押し出し、水面に浮上させるようにする。このとき拭き具１の拭き体４側はポンプ具１１の放出開口部１４側縁部によって係止されている。
【００１４】
このようにして浮き子３が上側温水循環口Ｐ２から出てくると、図３（ｃ）に示すように、下側温水循環口Ｐ１からポンプ具１１を取り外してから、残り湯内に押し出された浮き子３を手指等で強制的に引っ張ることにより、紐体２の他端側に取り付けられている拭き体４を循環用配管Ｐ内部に導入移動して行くことで当該循環用配管Ｐ内壁を拭き清掃するのである。
【００１５】
【考案の効果】
以上、説明したように本考案の構成によれば、浴槽Ｑ内壁面に設けられた上下一対の温水循環口Ｐ１，Ｐ２に連通する循環用配管Ｐ内の全体を確実且つ容易に清掃することができ、また簡易な構成でしかも安価なものとすることができる。
【００１６】
すなわちこれは本考案が、循環用配管Ｐの管長よりも長い紐体２と、紐体２の一端部に固定された浮き子３と、紐体２の他端部側に固定された拭き体４とから拭き具１を形成して成るからであり、これにより、循環用配管Ｐ内の全体を確実で且つ容易に清掃することができる。
【００１７】
拭き具１には、拭き体４側を浴槽Ｑ内に残して下側温水循環口Ｐ１に挿入された浮き子３を残り湯の水圧によって強制的に上側温水循環口Ｐ２から浴槽Ｑの残り湯内に押し出させるポンプ具１１を加えて成るので、循環用配管Ｐの内壁に付着しているゴミ、汚物、髪の毛、湯のろ等を、残り湯の水圧によって強制的に摺動する拭き体４により能率的に剥離除去して上側温水循環口Ｐ２から浴槽Ｑ内に容易に押し出させることができる。
【００１８】
ポンプ具１１は、自体の内部容積を圧縮乃至膨張させる蛇腹部１２と、蛇腹部１２の圧縮乃至膨張により揺動する逆止弁１５を介して自体の内部に残り湯を導入させる吸引開口部１３と、自体の内部から下側温水循環口Ｐ１内に残り湯を吐出させる放出開口部１４とを備えて成るので、蛇腹部１２の圧縮乃至膨張に伴い逆止弁１５を介して吸引される残り湯の水圧によって浮き子３を上側温水循環口Ｐ２から浴槽Ｑの残り湯内に容易に押し出すことができる。
【００１９】
拭き体４は、紐体２に複数にして離隔配置されて固定され、且つ循環用配管Ｐの管径よりも若干大きな外形を有する駒状のスポンジ部材によって形成されているので、これが循環用配管Ｐ内部で往復移動されることによって循環用配管Ｐ内部全体の内壁を傷めずに確実に拭き清掃することができる。
【図面の簡単な説明】
【図１】本考案の一実施の形態を示す拭き具の斜視図である。
【図２】同じくポンプ具の一例を示し、（ａ）は全体斜視図、（ｂ）は全体縦断面図である。
【図３】同じく使用状態の断面図を示すもので、（ａ）は下側温水循環口からの残り湯の水圧供給前の状態を示し、（ｂ）は下側温水循環口からの残り湯の水圧供給後の状態を示し、（ｃ）は上側温水循環口側から浮き子を引っ張って拭き体を循環用配管内部に導入させている状態を示す。
【符号の説明】
Ｐ…循環用配管　　　　　　　　　　　Ｐ１…下側温水循環口
Ｐ２…上側温水循環口　　　　　　　　Ｑ…浴槽
１…拭き具　　　　　　　　　　　　　２…紐体
３…浮き子　　　　　　　　　　　　　４…拭き体
４Ａ…柔軟拭き部　　　　　　　　　　４Ｂ…硬質拭き部
１１…ポンプ具　　　　　　　　　　　１２…蛇腹部
１３…吸引開口部　　　　　　　　　　１４…放出開口部
１５…逆止弁
２１…伸縮部　　　　　　　　　　　　２２…嵌着部
【図１】
0003097375.tif 000003
【図２】
0003097375.tif 000004
【図３】
0003097375.tif 000005